(57)【要約】【課題】鉗子栓本体の外周面に形成されている円周溝に係合させるように蓋体に形成されている内方突起が円周溝に係合したかどうかの感触が、蓋体を取り付ける操作者の手に伝わって、蓋体を鉗子栓本体に確実に取り付けることができる内視鏡の鉗子栓を提供すること。【解決手段】鉗子栓本体１１の外周面２４に円周溝２１が形成されて、鉗子栓本体１１の突端入口部１５寄りの部分の周囲を囲む状態に蓋体１２側から突設された環状壁２２の先端部分に、円周溝２１に対して係脱自在な内方突起２３が突出形成され、蓋体１２の内方突起２３を、鉗子栓本体１１の外周面２４に沿わせて押し広げた状態に弾性変形させて円周溝２１に係脱させるようにした内視鏡の鉗子栓において、鉗子栓本体１１の外周面２４の、円周溝２１より突端入口部１５寄りの部分の少なくとも円周溝２１に隣接する部分に外方に突出する周状突起２５（２５ａ）を形成した。【選択図】      図１
2006296610.tif 000002
【特許請求の範囲】
【請求項１】
基部が内視鏡の処置具挿通チャンネルの入口部分に着脱自在に取り付けられる筒状の鉗子栓本体と、上記鉗子栓本体の突端入口部に着脱自在に取り付けられる蓋体とが共に弾力性のある部材により形成されて、上記処置具挿通チャンネルに挿通される処置具により押し開かれる閉鎖膜が上記鉗子栓本体と上記蓋体とに設けられた内視鏡の鉗子栓であって、
上記鉗子栓本体の外周面に円周溝が形成されて、上記鉗子栓本体の突端入口部寄りの部分の周囲を囲む状態に上記蓋体側から突設された環状壁の先端部分に、上記円周溝に対して係脱自在な内方突起が突出形成され、上記蓋体の内方突起を、上記鉗子栓本体の外周面に沿わせて押し広げた状態に弾性変形させて上記円周溝に係脱させるようにした内視鏡の鉗子栓において、
上記鉗子栓本体の外周面の、上記円周溝より上記突端入口部寄りの部分の少なくとも上記円周溝に隣接する部分に外方に突出する周状突起を形成したことを特徴とする内視鏡の鉗子栓。
【請求項２】
上記周状突起が、上記鉗子栓本体の外周面の全周にわたって突出形成されていて上記蓋体の環状壁の内周面と密接する請求項１記載の内視鏡の鉗子栓。
【請求項３】
上記鉗子栓本体の外周面の上記突端入口部側の端部に、上記円周溝に隣接する周状突起との間に間隔をあけて第２の周状突起が突出形成されている請求項１又は２記載の内視鏡の鉗子栓。
【請求項４】
上記第２の周状突起が、上記鉗子栓本体の外周面の全周にわたって突出形成されていて上記蓋体の環状壁の内周面と密接する請求項１又は２記載の内視鏡の鉗子栓。
【発明の詳細な説明】
【技術分野】
【０００１】
この発明は内視鏡の鉗子栓に関する。
【背景技術】
【０００２】
内視鏡の鉗子栓は一般に、例えば図９に示されるように、基部が内視鏡の処置具挿通チャンネル３の入口口金４に着脱自在に取り付けられる筒状の鉗子栓本体９１と、その鉗子栓本体９１の突端入口部に着脱自在に取り付けられる蓋体９２とが共に弾力性のある部材により形成されて、処置具挿通チャンネル３に挿通される処置具によって押し開かれる閉鎖膜９３，９４が鉗子栓本体９１と蓋体９２とに設けられている。
【０００３】
そして、蓋体９２を鉗子栓本体９１に係脱させるために、鉗子栓本体９１の外周面に円周溝９５が形成されて、鉗子栓本体９１の突端入口部寄りの部分の周囲を囲む状態に蓋体９２側から突設された環状壁９６の先端部分に、円周溝９５に対して係脱自在な内方突起９７が全周にわたって突出形成されている（例えば、特許文献１）。
【特許文献１】特開２００５−８０８６７
【発明の開示】
【発明が解決しようとする課題】
【０００４】
上述のような内視鏡の鉗子栓において、蓋体９２を鉗子栓本体９１に取り付ける際には、蓋体９２が鉗子栓本体９１から外された図１０に示される状態から、図１１に示されるように、蓋体９２の内方突起９７を鉗子栓本体９１の外周面に沿わせて押し広げた状態に弾性変形させて円周溝９５側に移動させ、内方突起９７を円周溝９５に係脱させる。
【０００５】
しかし、従来の内視鏡の鉗子栓においては、内方突起９７が円周溝９５に係合したかどうかの感触が蓋体９２を取り付ける操作者の手に伝わらないので、内方突起９７が円周溝９５にきちんと係合していない状態のまま内視鏡を使用して、処置具挿通チャンネル３内から体内汚液等が噴出して周囲を汚染してしまう可能性があった。
【０００６】
そこで本発明は、鉗子栓本体の外周面に形成されている円周溝に係合させるように蓋体に形成されている内方突起が円周溝に係合したかどうかの感触が、蓋体を取り付ける操作者の手に伝わって、蓋体を鉗子栓本体に確実に取り付けることができる内視鏡の鉗子栓を提供することを目的とする。
【課題を解決するための手段】
【０００７】
上記の目的を達成するため、本発明の内視鏡の鉗子栓は、基部が内視鏡の処置具挿通チャンネルの入口部分に着脱自在に取り付けられる筒状の鉗子栓本体と、鉗子栓本体の突端入口部に着脱自在に取り付けられる蓋体とが共に弾力性のある部材により形成されて、処置具挿通チャンネルに挿通される処置具により押し開かれる閉鎖膜が鉗子栓本体と蓋体とに設けられた内視鏡の鉗子栓であって、鉗子栓本体の外周面に円周溝が形成されて、鉗子栓本体の突端入口部寄りの部分の周囲を囲む状態に蓋体側から突設された環状壁の先端部分に、円周溝に対して係脱自在な内方突起が突出形成され、蓋体の内方突起を、鉗子栓本体の外周面に沿わせて押し広げた状態に弾性変形させて円周溝に係脱させるようにした内視鏡の鉗子栓において、鉗子栓本体の外周面の、円周溝より突端入口部寄りの部分の少なくとも円周溝に隣接する部分に外方に突出する周状突起を形成したものである。
【０００８】
なお、周状突起が鉗子栓本体の外周面の全周にわたって突出形成されていて蓋体の環状壁の内周面と密接するようにすると、周状突起がシール用のＯリングと同様の作用をして優れたシール性が得られる。
【０００９】
また、鉗子栓本体の外周面の突端入口部側の端部に、円周溝に隣接する周状突起との間に間隔をあけて第２の周状突起が突出形成されていてもよく、その場合に、第２の周状突起が鉗子栓本体の外周面の全周にわたって突出形成されていて蓋体の環状壁の内周面と密接するようにすると、優れたシール性が得られる。
【発明の効果】
【００１０】
本発明によれば、鉗子栓本体の外周面の、円周溝より突端入口部寄りの部分の少なくとも円周溝に隣接する部分に外方に突出する周状突起を形成したことにより、鉗子栓本体の外周面に形成されている円周溝に係合させるように蓋体に形成されている内方突起が円周溝に係合したかどうかの感触が、蓋体を取り付ける操作者の手にはっきりと伝わって、蓋体を鉗子栓本体に確実に取り付けることができる。
【発明を実施するための最良の形態】
【００１１】
基部が内視鏡の処置具挿通チャンネルの入口部分に着脱自在に取り付けられる筒状の鉗子栓本体と、鉗子栓本体の突端入口部に着脱自在に取り付けられる蓋体とが、共に弾力性のある部材により形成されて、処置具挿通チャンネルに挿通される処置具により押し開かれる閉鎖膜が鉗子栓本体と蓋体とに設けられた内視鏡の鉗子栓であって、鉗子栓本体の外周面に円周溝が形成されて、鉗子栓本体の突端入口部寄りの部分の周囲を囲む状態に蓋体側から突設された環状壁の先端部分に、円周溝に対して係脱自在な内方突起が突出形成され、蓋体の内方突起を、鉗子栓本体の外周面に沿わせて押し広げた状態に弾性変形させて円周溝に係脱させるようにした内視鏡の鉗子栓において、鉗子栓本体の外周面の、円周溝より突端入口部寄りの部分の少なくとも円周溝に隣接する部分に外方に突出する周状突起を形成する。
【実施例】
【００１２】
図面を参照して本発明の実施例を説明する。
図４において、１は内視鏡の挿入部、２は、挿入部１の基端に連結された操作部である。
【００１３】
挿入部１内には、図示されていない処置具を挿通するための処置具挿通チャンネル３が全長にわたって挿通配置されていて、操作部２の下端部に配置された処置具挿通チャンネル３の入口開口部には、処置具挿通チャンネル３を通って逆流する体内汚液等が外方に吹き出さないようにするための鉗子栓１０が着脱自在に取り付けられている。
【００１４】
鉗子栓１０は、その拡大断面を図示する図１にも示されるように、処置具挿通チャンネル３の入口口金４に取り付けられる筒状に形成された鉗子栓本体１１と、鉗子栓本体１１の突端入口部１５に着脱自在な蓋体１２とを有していて、全体が弾力性のあるゴム材等によって構成されている。
【００１５】
鉗子栓本体１１の内面の基端寄りの部分には、処置具挿通チャンネル３の入口口金４に対して係脱自在な小径部１３が形成されており、小径部１３を弾性変形させて、入口口金４を締め付ける状態に取り付け及び取り外すことができる。なお、図１には、小径部１３の弾性変形していない形状が入口口金４と重ねて図示されている。
【００１６】
蓋体１２が鉗子栓本体１１から取り外された状態を図示する図２にも示されるように、蓋体１２は、弾力性のあるゴム材により蓋体１２と一体に形成された連結紐状部材１４で鉗子栓本体１１の基部と連結されていて、鉗子栓本体１１から取り外されてもその近くにぶら下げられた状態になるようになっている。
【００１７】
鉗子栓本体１１内と蓋体１２には、各々閉鎖膜１６，１７が形成されていて、鉗子栓本体１１内の閉鎖膜１６には、処置具挿通チャンネル３に挿通される処置具により押し開かれる小孔１８が形成され、蓋体１２の閉鎖膜１７には、処置具挿通チャンネル３に挿通される処置具により押し開かれるスリット１９が形成されている。
【００１８】
したがって、蓋体１２が鉗子栓本体１１に取り付けられて処置具が使用されない図１に示される状態では、蓋体１２に形成されたスリット１９により、処置具挿通チャンネル３内から体内汚液等が噴出しないように封止される。
【００１９】
そして、図示されていない処置具が処置具挿通チャンネル３に挿脱される際には小孔１８とスリット１９により処置具の外周面との間がシールされ、注射器で処置具挿通チャンネル３内に薬液等を送り込む場合には、蓋体１２を外して小孔１８を薬液通路にすることができる。
【００２０】
鉗子栓本体１１の突端入口部１５近くの外周面には円周溝２１が全周にわたり形成されていて、その鉗子栓本体１１の突端入口部１５寄りの部分の周囲を囲む状態に、蓋体１２側から環状壁２２が突出形成されている。
【００２１】
そして、円周溝２１に全周にわたり係合させることができる内方突起２３が環状壁２２の先端部分の内周部全周から内方に突出形成されていて、内方突起２３を鉗子栓本体１１の外周面２４に沿わせて押し広げた状態に弾性変形させて円周溝２１に係脱させることができる。
【００２２】
その内方突起２３を円周溝２１に係合させる際に内方突起２３が接触する、鉗子栓本体１１の円周溝２１より突端入口部１５寄りの外周面２４には、鉗子栓本体１１単体を図示する図３にも示されるように、二つの周状突起２５（第１の周状突起２５ａと第２の周状突起２５ｂ）が突出形成されている。
【００２３】
その中の第１の周状突起２５ａは円周溝２１に隣接する部分に全周にわたって突出形成され、第２の周状突起２５ｂは、第１の周状突起２５ａとの間に間隔をあけて突端入口部１５側の端部に全周にわたって突出形成されている。
【００２４】
そのような構成により、蓋体１２が鉗子栓本体１１から取り外されている図５に示される状態から、蓋体１２を鉗子栓本体１１に取り付けていくと、図６に示されるように、蓋体１２の内方突起２３が鉗子栓本体１１の外周面２４に接触して押し広げられた状態に弾性変形するが、まず内方突起２３が第２の周状突起２５ｂを乗り越える際に、蓋体１２を取り付ける操作者の手にカクンというクリック感が伝わり、内方突起２３が鉗子栓本体１１の外周面２４に面する位置に移動したことを操作者が手の感触で察知することができる。
【００２５】
さらに、内方突起２３が第１の周状突起２５ａを乗り越えて円周溝２１と係合する際にも、同様のクリック感が再度操作者の手に伝わり、内方突起２３が円周溝２１と係合する状態になったことを操作者が手の感触で察知することができる。
【００２６】
このようにして、図１に示されるように内方突起２３が円周溝２１に係合した状態になると、第１の周状突起２５ａと第２の周状突起２５ｂが各々シール用Ｏリングと同様の作用をして、第１の周状突起２５ａの外周面と第２の周状突起２５ｂの外周面とが環状壁２２の内周面に弾性的に押し付けられて密接した状態になり、その部分がシールされた状態になる。なお、図１には、第１と第２の周状突起２５ａ，２５ｂが弾性変形していない状態の形状が環状壁２２と重ねて図示されている。
【００２７】
しがって、内視鏡使用時には、蓋体１２の内方突起２３を鉗子栓本体１１の円周溝２１に確実に係合させて、処置具挿通チャンネル３内から体内汚液等が噴出しない状態で衛生的に使用することができる。
【００２８】
なお、本発明は上記実施例に限定されるものではなく、例えば図７に示されるように、第１の周状突起２５ａと第２の周状突起２５ｂの少なくとも一方が周方向に断続的に突設されていてもよい。
【００２９】
また、図８に示されるように、周状突起２５が少なくとも円周溝２１に隣接する位置に形成されていれば、円周溝２１への係合を操作者が手の感触で察知することができる。
【図面の簡単な説明】
【００３０】
【図１】本発明の第１の実施例の内視鏡の鉗子栓の側面断面図である。
【図２】本発明の第１の実施例の内視鏡の鉗子栓の蓋体が鉗子栓本体から取り外された状態の側面断面図である。
【図３】本発明の第１の実施例の内視鏡の鉗子栓の鉗子栓本体単体の側面図である。
【図４】本発明の第１の実施例の内視鏡の全体構成を示す側面図である。
【図５】本発明の第１の実施例の内視鏡の鉗子栓の蓋体を鉗子栓本体に取り付ける際の動作の側面断面図である。
【図６】本発明の第１の実施例の内視鏡の鉗子栓の蓋体を鉗子栓本体に取り付ける際の動作の側面断面図である。
【図７】本発明の第２の実施例の内視鏡の鉗子栓の鉗子栓本体単体の側面図である。
【図８】本発明の第３の実施例の内視鏡の鉗子栓の鉗子栓本体単体の側面図である。
【図９】従来の内視鏡の鉗子栓の側面断面図である。
【図１０】従来の内視鏡の鉗子栓の蓋体を鉗子栓本体に取り付ける際の動作の側面断面図である。
【図１１】従来の内視鏡の鉗子栓の蓋体を鉗子栓本体に取り付ける際の動作の側面断面図である。
【符号の説明】
【００３１】
３  処置具挿通チャンネル
１０  鉗子栓
１１  鉗子栓本体
１２  蓋体
１６  閉鎖膜
１７  閉鎖膜
２１  円周溝
２２  環状壁
２３  内方突起
２４  外周面
２５  周状突起
２５ａ  第１の周状突起
２５ｂ  第２の周状突起
【図１】
2006296610.tif 000003
【図２】
2006296610.tif 000004
【図３】
2006296610.tif 000005
【図４】
2006296610.tif 000006
【図５】
2006296610.tif 000007
【図６】
2006296610.tif 000008
【図７】
2006296610.tif 000009
【図８】
2006296610.tif 000010
【図９】
2006296610.tif 000011
【図１０】
2006296610.tif 000012
【図１１】
2006296610.tif 000013